(57)【特許請求の範囲】
【請求項１】
光透過性を有する基材と、
前記基材の一面に並んで形成された複数の突起部と、を備え、
前記突起部は、前記基材の一面と対向する第１の面部と、前記第１の面部と第１の角部を挟んで隣接する第２の面部と、前記第１の面部と前記第１の角部とは反対側の第２の角部を挟んで隣接する第３の面部と、前記第２の面部と前記第１の角部とは反対側の第３の角部を挟んで隣接し且つ前記第３の面部と第４の角部を挟んで隣接する第４の面部と、を含み、前記第１の角部が前記第２の角部よりも大きい角度を有し、且つ、前記第３の角部が前記第４の角部よりも小さい角度を有するプリズム体を構成し、
少なくとも前記第２の面部又は前記第４の面部から前記突起部に入射した入射光の入射角θＩＮが前記基材の法線に対して２０°≦θＩＮ≦５０°の範囲にあるとき、前記基材の他面から出射される出射光の出射角θＯＵＴが前記基材の法線に対して前記入射光と同じ側に０°≦θＯＵＴ≦１５°となる範囲で、前記出射光の輝度が相対的に高くなり、
前記入射光の入射角θＩＮの変動幅をΔθＩＮとし、前記出射光の出射角θＯＵＴの変動幅をΔθＯＵＴとしたときに、２０°≦θＩＮ≦５０°となる範囲で、
ΔθＩＮ＞ΔθＯＵＴ
の関係を満足し、
前記第１の角部の角度をα１とし、前記第２の角部の角度をα２としたときに、
８５°≦α１≦１１０°、
（−α１／５＋７７°）≦α２≦（−３α１／１０＋９５°）
の関係を満足する採光部材。 
【請求項２】
前記第１の面部の前記突起部の並び方向に沿った長さをＬとし、前記第１の面部から前記第４の角部までの高さＨとし、前記第２の面部から前記突起部に入射した入射光が前記第３の面部で全反射される全反射角をθＺ３としたときに、
Ｈ／Ｌ≦（ｔａｎＡ０×ｔａｎα２）／（ｔａｎＡ０＋ｔａｎα２）、
Ａ０＝２７０°−α１−２・α２＋θＺ３
の関係を満足する請求項１に記載の採光部材。
【請求項３】
前記基材の一面と平行な基準面に対して前記第４の面部が為す角度をα３とし、前記第２の面部から前記突起部に入射した入射光が前記第４の面部で全反射される全反射角をθＺ４としたときに、２０°≦θＩＮ≦５０°となる範囲で、 
θＺ４≦α３≦α２
の関係を満足する請求項１又は２に記載の採光部材。
【請求項４】
前記突起部は、前記第２の面部の少なくとも一部が内側に湾曲した凹面形状と、前記第３の面部と前記第４の面部との少なくとも一部が外側に湾曲した凸面形状とを有する請求項１〜３の何れか一項に記載の採光部材。
【請求項５】
前記複数の突起部の各間に形成された複数の溝部を備える請求項１〜４の何れか一項に記載の採光部材。
【請求項６】
前記基材は、フィルム状である請求項１〜５の何れか一項に記載の採光部材。
【請求項７】
前記基材は、パネル状である請求項１〜５の何れか一項に記載の採光部材。
【請求項８】
前記第１の面部が鉛直となるように、前記採光部材を設置した場合であって、
前記第２の面部が、前記第３の面部および前記第４の面部よりも、鉛直方向上方に位置するように、前記採光部材を設置した場合に、
前記２０°≦θＩＮ≦５０°となる範囲で、前記ΔθＩＮ＞ΔθＯＵＴの関係を満足する
請求項１〜７の何れか一項に記載の採光部材。
【請求項９】
ガラス基板と、
前記ガラス基板の一方の面側に配置された採光部材と、を備え、
前記採光部材として、請求項１〜８の何れか一項に記載の採光部材を用いる窓ガラス。
【請求項１０】
採光スクリーンと、
前記採光スクリーンを巻き取り自在に支持する巻取機構と、を備え、
前記採光スクリーンとして、請求項１〜８の何れか一項に記載の採光部材を用いるロールスクリーン。
【請求項１１】
所定の間隔を空けて並んで配置された複数の採光スラットと、
前記複数の採光スラットを互いに傾動自在に支持する傾動機構と、を備え、
前記採光スラットとして、請求項１〜８の何れか一項に記載の採光部材を用いる採光ルーバー。
【発明の詳細な説明】
【技術分野】
【０００１】
本発明は、採光部材、窓ガラス、ロールスクリーン、採光ルーバーに関する。
本願は、２０１３年１２月２５日に、日本に出願された特願２０１３−２６６７４１号に基づき優先権を主張し、その内容をここに援用する。
【背景技術】
【０００２】
例えば、窓ガラス等を通して屋外の自然光（太陽光）を屋内に効率良く採り入れるための技術として、採光フィルム（採光部材）を用いることが提案されている（例えば、特許文献１を参照。）。【０００３】
採光フィルムは、光透過性を有するフィルム（基材）の一面に複数のプリズム体（突起部）が形成されたものからなる。採光フィルムは、窓ガラスに貼り付けられることによって、この窓ガラスに入射する光をプリズム体で光の進行方向を変えながら、屋内の天井や、側壁、床などに向けて照射する。【０００４】
また、天井に向かう光は、天井で反射して室内を照らすため、照明光の代わりとなる。
したがって、このような採光フィルムを用いた場合、日中に建物内の照明設備が消費するエネルギーを節約する省エネルギー効果が期待できる。
【先行技術文献】
【特許文献】
【０００５】
【特許文献１】特開２００８−４００２１号公報
【発明の概要】
【発明が解決しようとする課題】
【０００６】
ところで、従来の採光フィルムでは、屋内の天井に向かう光を室内の奥の方まで照射することが難しく、天井で反射された光によって室内を広範囲に亘って照らすことが困難であった。すなわち、従来の採光フィルムでは、天井に向かう光が窓ガラスに近い室内の手前の方に集中することによって、天井の照度分布に大きな差が生じてしまい、室内の手前の方では眩しく、室内の奥の方では暗く感じられることがあった。この場合、日中でも室内の照明設備のほとんどを消灯することができず、採光フィルムを用いたことによる省エネルギー効果も小さくなってしまう。【０００７】
また、採光フィルムは、窓ガラスに入射する光の全てを屋内の天井に向けて照射できるわけではなく、屋内に居る人の眼の位置に向かう光も存在する。このような光は、屋内に居る人に眩しさを感じさせることがある。【０００８】
さらに、太陽の高度変化によって窓ガラスに入射する光の入射角が変化する。これに伴う採光フィルムから屋内の天井へと向かう光の照射位置の変動が大きいと、採光フィルムから屋内の天井以外の方向に向かう光が増加することになる。この場合、屋内の奥の方で暗く感じられたり、屋内に居る人に眩しさを感じさせたりすることが多くなる。また、天井を照らす時間が短くなると、採光フィルムを用いたことによる省エネルギー効果も小さくなってしまう。【０００９】
本発明の一つの態様は、このような従来の事情に鑑みて提案されたものであり、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制した採光部材、並びにそのような採光部材を用いた窓ガラス、ロールスクリーン、採光ルーバーを提供することを目的の一つとする。
【課題を解決するための手段】
【００１０】
上記の目的を達成するために、本発明は以下の手段を採用した。
（１）  本発明の第１の態様に係る採光部材は、光透過性を有する基材と、前記基材の一面に並んで形成された複数の突起部と、を備え、前記突起部は、前記基材の一面と対向する第１の面部と、前記第１の面部と第１の角部を挟んで隣接する第２の面部と、前記第１の面部と前記第１の角部とは反対側の第２角部を挟んで隣接する第３の面部と、前記第２の面部と前記第１の角部とは反対側の第３の角部を挟んで隣接し且つ前記第３の面部と第４の角部を挟んで隣接する第４の面部と、を含み、前記第１の角部が前記第２の角部よりも大きい角度を有し、且つ、前記第３の角部が前記第４の角部よりも小さい角度を有するプリズム体を構成し、少なくとも前記第２の面部又は前記第４の面部から前記突起部に入射した入射光の入射角θＩＮが前記基材の法線に対して２０°≦θＩＮ≦５０°の範囲にあるとき、前記基材の他面から出射される出射光の出射角θＯＵＴが前記基材の法線に対して前記入射光と同じ側に０°≦θＯＵＴ≦１５°となる範囲で、前記出射光の輝度が相対的に高くなる。【００１１】
（２）  前記（１）に記載の採光部材において、前記入射光の入射角θＩＮの変動幅をΔθＩＮとし、前記出射光の出射角θＯＵＴの変動幅をΔθＯＵＴとしたときに、２０°≦θＩＮ≦５０°となる範囲で、ΔθＩＮ＞ΔθＯＵＴ の関係を満足する構成であってもよい。【００１２】
（３）  前記（１）又は（２）に記載の採光部材において、前記第１の角部の角度をα１とし、前記第２の角部の角度をα２としたときに、８５°≦α１≦１１０°、（−α１／５＋７７°）≦α２≦（−３α１／１０＋９５°） の関係を満足する構成であってもよい。【００１３】
（４）  前記（１）〜（３）の何れかに記載の採光部材において、前記第１の角部の角度をα１とし、前記第２の角部の角度をα２とし、前記第１の面部の前記突起部の並び方向に沿った長さをＬとし、前記第１の面部から前記第４の角部までの高さＨとし、前記第２の面部から前記突起部に入射した入射光が前記第３の面部で全反射される全反射角をθＺ３としたときに、Ｈ／Ｌ≦（ｔａｎＡ０×ｔａｎα２）／（ｔａｎＡ０＋ｔａｎα２）、Ａ０＝２７０°−α１−２・α２＋θＺ３ の関係を満足する構成であってもよい。【００１４】
（５）  前記（１）〜（４）の何れかに記載の採光部材において、前記第２の角部の角度をα２とし、前記基材の一面と平行な基準面に対して前記第４の面部が為す角度をα３とし、前記第２の面部から前記突起部に入射した入射光が前記第４の面部で全反射される全反射角をθＺ４としたときに、２０°≦θＩＮ≦５０°となる範囲で、θＺ４≦α３≦α２ の関係を満足する構成であってもよい。【００１５】
（６）  前記（１）〜（５）の何れかに記載の採光部材において、前記突起部は、前記第２の面部の少なくとも一部が内側に湾曲した凹面形状と、前記第３の面部と前記第４の面部との少なくとも一部が外側に湾曲した凸面形状とを有する構成であってもよい。【００１６】
（７）  前記（１）〜（６）の何れかに記載の採光部材において、前記複数の突起部の各間に形成された複数の溝部を備える構成であってもよい。【００１７】
（８）  前記（１）〜（７）の何れかに記載の採光部材において、前記基材は、フィルム状である構成であってもよい。【００１８】
（９）  前記（１）〜（７）の何れかに記載の採光部材において、前記基材は、パネル状である構成であってもよい。【００１９】
（１０）  本発明の第２の態様に係る窓ガラスは、ガラス基板と、前記ガラス基板の一方の面側に配置された採光部材と、を備え、前記採光部材として、前記（１）〜（９）の何れかに記載の採光部材を用いる。【００２０】
（１１）  本発明の第３の態様に係るロールスクリーンは、採光スクリーンと、前記採光スクリーンを巻き取り自在に支持する巻取機構と、を備え、前記採光スクリーンとして、前記（１）〜（９）の何れかに記載の採光部材を用いる。【００２１】
（１２）  本発明の第４の態様に係る採光ルーバーは、所定の間隔を空けて並んで配置された複数の採光スラットと、前記複数の採光スラットを互いに傾動自在に支持する傾動機構と、を備え、前記採光スラットとして、前記（１）〜（９）の何れかに記載の採光部材を用いる。
【発明の効果】
【００２２】
以上のように、本発明の一つの態様によれば、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制した採光部材、並びにそのような採光部材を用いた窓ガラス、ロールスクリーン、採光ルーバーを提供することが可能である。
【図面の簡単な説明】
【００２３】
【図１】本発明の第１の実施形態に係る採光フィルムの概略構成を示す斜視図である。
【図２】図１に示す採光フィルムが備える突起部の構成を示す断面図である。
【図３】部屋モデルを用いた採光フィルムの採光特性を説明するための模式図である。
【図４】採光フィルムの入射光の入射角と出射光の出射角との定義を説明するための模式図である。
【図５】部屋モデルを用いた採光フィルムの入射光の入射角の変動幅と出射光の出射角の変動幅とを説明するための模式図である。
【図６Ａ】参考例１の採光フィルムに入射した光の光路を示す第１の模式図である。
【図６Ｂ】参考例１の採光フィルムに入射した光の光路を示す第２の模式図である。
【図７Ａ】参考例２の採光フィルムに入射した光の光路を示す第１の模式図である。
【図７Ｂ】参考例２の採光フィルムに入射した光の光路を示す第２の模式図である。
【図８】参考例１の採光フィルムにおける入射光の入射角と出射光の出射角との関係を表すグラフである。
【図９】参考例２の採光フィルムにおける入射光の入射角と出射光の出射角との関係を表すグラフである。
【図１０】図１に示す採光フィルムにおける入射光の入射角と出射光の出射角との関係を表すグラフである。
【図１１Ａ】参考例３の採光フィルムに入射した光の光路を示す模式図である。
【図１１Ｂ】参考例４の採光フィルムに入射した光の光路を示す模式図である。
【図１１Ｃ】参考例５の採光フィルムに入射した光の光路を示す模式図である。
【図１２】第１の角部の角度と第２の角部の角度との組み合わせにおいて、２０°≦θＩＮ≦５０°、０°≦θＯＵＴ≦１５°となる範囲を示すグラフである。
【図１３】第１の角部の角度と第２の角部の角度との組み合わせにおいて、出射角の変動幅の分布を示すグラフである。
【図１４】第２の面部から入射した光が第３の面部及び第２の面部で全反射される場合の光路を示す模式図である。
【図１５Ａ】Ｈ／Ｌ及びＡ０を説明するための突起部に入射した光の光路を示す第１の模式図である。
【図１５Ｂ】Ｈ／Ｌ及びＡ０を説明するための突起部に入射した光の光路を示す第２の模式図である。
【図１６】突起部の先端付近から入射した光の光路を示す模式図である。
【図１７】突起部の第４の面部から入射した光の光路を示す模式図である。
【図１８】採光フィルムの突起部の向きを反転させた状態を示す断面図である。
【図１９】図１８に示す採光フィルムに入射した光の光路を示す模式図である。
【図２０】図１８に示す採光フィルムにおける入射光の入射角と出射光の出射角との関係を表すグラフである。
【図２１】採光フィルムを実際に作製した顕微鏡写真である。
【図２２】図２１に示す採光フィルムの要部を拡大した顕微鏡写真に突起部の輪郭線を図示した顕微鏡写真である。
【図２３Ａ】突起部の別の構成例を示す第１の断面図である。
【図２３Ｂ】突起部の別の構成例を示す第２の断面図である。
【図２３Ｃ】突起部の別の構成例を示す第３の断面図である。
【図２３Ｄ】突起部の別の構成例を示す第４の断面図である。
【図２３Ｅ】突起部の別の構成例を示す第５の断面図である。
【図２４】本発明の第２の実施形態に係る窓ガラスの概略構成を示す斜視図である。
【図２５】図２４に示す窓ガラスのＤ−Ｄ’線に沿った断面図である。
【図２６】図２４に示す窓ガラスの変形例を示す断面図である。
【図２７】窓ガラスの別の構成例を示す斜視図である。
【図２８Ａ】窓ガラスの別の構成例を示す第１の断面図である。
【図２８Ｂ】窓ガラスの別の構成例を示す第２の断面図である。
【図２９】本発明の第３の実施形態に係るロールスクリーンの概略構成を示す斜視図である。
【図３０】図２９に示すロールスクリーンのＥ−Ｅ’線に沿った断面図である。
【図３１Ａ】ロールスクリーンの別の構成例を示す第１の断面図である。
【図３１Ｂ】ロールスクリーンの別の構成例を示す第２の断面図である。
【図３２Ａ】本発明の第４の実施形態に係る採光ルーバーの概略構成を示す第１の斜視図である。
【図３２Ｂ】本発明の第４の実施形態に係る採光ルーバーの概略構成を示す第２の斜視図である。
【図３３】図３２Ａ及び図３２Ｂに示す採光ルーバーが備える採光スラットの概略構成を示す断面図である。
【図３４】図３２Ａ及び図３２Ｂに示す採光ルーバーが備える採光スラットの向きを反転させた状態を示す断面図である。
【図３５】採光装置及び照明調光システムを備えた部屋モデル２０００を示す図である。
【図３６】部屋モデル２０００の天井を示す平面図である。
【図３７】採光装置によって室内に採光された光（自然光）の照度と、室内照明装置による照度（照明調光システム）との関係を示すグラフである。
【発明を実施するための形態】
【００２４】
以下、本発明の実施形態について、図面を参照して詳細に説明する。
なお、以下の全ての図面においては、各構成要素を見やすくするため、構成要素によって寸法の縮尺を異ならせて示すことがある。また、断面図において、構成を見やすくするため、ハッチングの図示を省略して示す場合がある。
【００２５】
［第１の実施形態］
（採光部材）
先ず、本発明の第１の実施形態として、例えば図１に示す採光フィルム（採光部材）１について説明する。なお、図１は、採光フィルム１の概略構成を示す斜視図である。
【００２６】
採光フィルム１は、図１に示すように、光透過性を有するフィルム状の基材２と、基材２の一面に並んで形成された複数の突起部３と、複数の突起部３の各間に形成された複数の溝部４とを備えている。
【００２７】
基材２は、熱可塑性ポリマーや熱硬化性樹脂、光重合性樹脂等を用いた樹脂フィルムからなる。また、樹脂フィルムとしては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなるものを用いることができる。その中でも、例えば、トリアセチルセルロース（ＴＡＣ）フィルム、ポリエチレンテレフタレート（ＰＥＴ）フィルム、シクロオレフィンポリマー（ＣＯＰ）フィルム、ポリカーボネート（ＰＣ）フィルム、ポリエチレンナフタレート（ＰＥＮ）フィルム、ポリエーテルサルホン（ＰＥＳ）フィルム、ポリイミド（ＰＩ）フィルム等の透明樹脂フィルムを好適に用いることができる。
【００２８】
本実施形態では、基材２の一例として、厚さが１００μｍのＰＥＴフィルムを用いている。基材２の全光線透過率は、ＪＩＳ  Ｋ７３６１−１の規定で９０％以上が好ましい。
これにより、十分な透明性を得ることができる。
【００２９】
突起部３は、例えば、アクリル樹脂やエポキシ樹脂、シリコーン樹脂等の光透過性及び感光性を有する有機材料で構成されている。また、これらの有機材料に、重合開始剤やカップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。
【００３０】
本実施形態では、突起部３の一例として、ポリメタクリル酸メチル（ＰＭＭＡ）を用いている。突起部３の全光線透過率は、ＪＩＳ  Ｋ７３６１−１の規定で９０％以上が好ましい。これにより、十分な透明性を得ることができる。
【００３１】
複数の突起部３は、基材２の面内において並び方向と交差する方向に突状に延長して設けられている。また、複数の突起部３は、矩形状を為す基材２の一辺と平行な方向に延長して設けられている。
【００３２】
各突起部３は、図２に示すような断面形状を有している。なお、図２は、突起部３を長手方向に対して垂直な方向に切断した断面図である。具体的に、この突起部３は、図２に示すように、基材２の一面と対向する第１の面部５ａと、第１の面部５ａと第１の角部６ａを挟んで隣接する第２の面部５ｂと、第１の面部５ａと第１の角部６ａとは反対側の第２角部６ｂを挟んで隣接する第３の面部５ｃと、第２の面部５ｂと第１の角部６ａとは反対側の第３の角部６ｃを挟んで隣接し且つ第３の面部５ｃと第４の角部６ｄを挟んで隣接する第４の面部５ｄとを含み、第１の角部６ａが第２の角部６ｂよりも大きい角度を有し、且つ、第３の角部６ｃが第４の角部６ｃよりも小さい角度を有するプリズム体を構成している。
【００３３】
溝部４は、互いに隣接する突起部３のうち、一方の突起部３の第２の面部５ｂと、他方の突起部３の第３の面部５ｃ及び第４の面部５ｄとの間に形成されている。この間には、空気が存在しているため、突起部２の第２の面部５ｂ、第３の面部５ｃ及び第４の面部５ｄは、空気との界面となる。
【００３４】
ここで、溝部４の間を他の低屈折率材料で充填してもよい。しかしながら、突起部３の内部と外部との界面の屈折率差は、外部にいかなる低屈折率材料が存在する場合よりも空気が存在する場合に最大となる。したがって、空気が存在する場合は、スネル（Ｓｎｅｌｌ）の法則より、突起部２に入射した光のうち、第２の面部５ｂ、第３の面部５ｃ又は第４の面部５ｄで全反射する光の臨界角が最も小さくなる。これにより、第２の面部５ｂ、第３の面部５ｃ又は第４の面部５ｄで全反射される光の入射角の範囲が最も広くなることから、突起部３に入射した光を基材２の他面側へと効率良く導くことができる。結果として、突起部３に入射した光の損失が抑えられ、基材２の他面から出射される光の輝度を高めることができる。
【００３５】
なお、基材２の屈折率と突起部３の屈折率とは略同等であることが望ましい。その理由は、例えば、基材２の屈折率と突起部３の屈折率とが大きく異なる場合、光が突起部３から基材２に入射したときに、これら突起部３と基材２との界面で不要な光の屈折や反射が生じることがある。この場合、所望の採光特性が得られない、輝度が低下するなどの不具合が生じる虞があるからである。
【００３６】
また、採光フィルム１の製造方法としては、例えば、フォトリソグラフィ技術を用いることができる。また、フォトリソグラフィ技術を用いる方法以外にも、溶融押し出し法や型押し出し法などの方法によって、採光フィルム１を製造することができる。溶融押し出し法や型押し出し法などの方法では、基材２と突起部３は同一の樹脂によって一体に形成される。
【００３７】
以上のような構成を有する採光フィルム１は、例えば窓ガラスの内面（室内側の面）に複数の突起部３が形成された面側（基材２の一面側）を対向させた状態で窓ガラスに貼り付けて使用される。このとき、採光フィルム１は、窓ガラスに対して複数の突起部３の並び方向が窓ガラスの縦方向（鉛直方向）と一致するように貼り付けられる。換言すると、採光フィルム１は、窓ガラスに対して複数の突起部３の延長方向が窓ガラスの横方向（水平方向）と一致するように貼り付けられる。また、採光フィルム１は、突起部３の第２の面部５ｂが上面となる向きで貼り付けられる。
【００３８】
窓ガラスに貼り付けられた採光フィルム１は、この窓ガラスに入射する光を複数の突起部３で光の進行方向を変えながら、室内の天井に向けて照射する。また、天井に向かう光は、天井で反射して室内を照らすため、照明光の代わりとなる。したがって、このような採光フィルム１を用いた場合、日中に建物内の照明設備が消費するエネルギーを節約する省エネルギー効果が期待できる。
【００３９】
ここで、図３に示す部屋モデル１０００を用いて採光フィルム１の採光特性について説明する。なお、図３は、部屋モデル１０００の一例を示す模式図である。
【００４０】
部屋モデル１０００は、例えば採光フィルム１のオフィスでの使用を想定したモデルである。具体的に、図３に示す部屋モデル１０００は、天井１００１と、床１００２と、窓ガラス１００３が取り付けられた手前の側壁１００４と、手前の側壁１００４と対向する奥の側壁１００５とで囲まれる室内１００６に、窓ガラス１００３を通して屋外の光Ｌが斜め上方から入射する場合を模している。採光フィルム１は、窓ガラス１００３の内面の上部側に貼り付けられている。
【００４１】
部屋モデル１０００では、室内１００６の高さ寸法（天井１００１から床１００２までの寸法）Ｈ１を２．７ｍとし、窓ガラス１００３の縦寸法Ｈ２を天井１００１から１．８ｍとし、採光フィルム１の縦寸法Ｈ３を天井１００１から０．６ｍとし、室内１００６の奥行き寸法（手前の側壁１００４から奥の側壁１００５までの寸法）Ｗを１６ｍとしている。
【００４２】
部屋モデル１０００では、室内１００６の中の方に椅子に座っている人Ｍａと、室内１００６の奥の方に床１００２に立っている人Ｍｂとがいる。椅子に座っている人Ｍａの眼の高さＨａは、床１００２から０．８ｍとし、床１００２に立っている人Ｍｂの眼の高さＨｂは、床１００２から１．８ｍとしている。
【００４３】
室内１００６に居る人Ｍａ，Ｍｂに眩しさを感じさせる領域（以下、グレア領域という。）Ｇは、室内に居る人Ｍａ，Ｍｂの眼の高さＨａ，Ｈｂの範囲である。また、室内１００６の窓ガラス１００３の付近は、主として採光フィルム１が貼り付けられていない窓ガラス１００３の下部側を通して屋外の光Ｌが直接照射される領域Ｆである。この領域Ｆは、手前の側壁１００４から１ｍの範囲としている。したがって、グレア領域Ｇは、床１００２から０．８ｍ〜１．８ｍの高さ範囲のうち、領域Ｄを除いた手前の側壁１００４より１ｍ離れた位置から奥の側壁１００５までの範囲となっている。
【００４４】
次に、図４を用いて、採光フィルム１の突起部３に入射する入射光ＬＩＮの入射角θＩＮと、基材２の他面から出射される出射光ＬＯＵＴの出射角θＯＵＴとの定義について説明する。
入射光ＬＩＮの入射角θＩＮ及び出射光ＬＯＵＴの出射角θＯＵＴは、図４に示すように、基材２の法線に沿った方向の角度を０°とし、天井１００１に向かう方向の角度を正（＋）とし、床１００２に向かう方向の角度を負（−）として定義する。
【００４５】
本実施形態の採光フィルム１では、少なくとも第２の面部５ｂ又は第４の面部５ｄから突起部３に入射した入射光ＬＩＮの入射角θＩＮが基材２の法線に対して２０°≦θＩＮ≦５０°の範囲にあるとき、基材２の他面から出射される出射光ＬＯＵＴの出射角θＯＵＴが基材２の法線に対して入射光ＬＩＮと同じ側（＋側）に０°≦θＯＵＴ≦１５°となる範囲で、出射光ＬＯＵＴの輝度が相対的に高くなるように設定されている。
【００４６】
これにより、窓ガラス１００３を通して室内１００６に入射した光Ｌのうち、グレア領域Ｇに向かう光や床１００２に向かう光の輝度を低減しながら、天井１００１に向かう光の輝度を相対的に高めることが可能である。すなわち、窓ガラス１００３を通して室内１００６に入射した光Ｌを天井１００１に向けて効率良く照射することができる。また、室内１００６に居る人Ｍａ，Ｍｂに眩しさを感じさせることなく、天井１００１に向かう光Ｌを室内１００６の奥の方まで照射することができる。
【００４７】
さらに、天井１００１で反射された光Ｌ’は、照明光の代わりとして、室内１００６を広範囲に亘って明るく照らすことになる。この場合、室内１００６の照明設備を消灯することによって、日中に室内１００６の照明設備が消費するエネルギーを節約する省エネルギー効果が期待できる。
【００４８】
また、本実施形態の採光フィルム１では、図５に示すように、入射光ＬＩＮの入射角θＩＮの変動幅をΔθＩＮとし、出射光ＬＯＵＴの出射角θＯＵＴの変動幅をΔθＯＵＴとしたときに、２０°≦θＩＮ≦５０°となる範囲で、ΔθＩＮ＞ΔθＯＵＴの関係を満足することが好ましい。
【００４９】
この場合、太陽の高度変化に伴う室内１００６の照射位置の変動を抑制することができる。また、天井１００１に向かう光Ｌを室内１００６の奥の方まで長時間に亘って照射することができる。これにより、更なる省エネルギー効果が期待できる。
【００５０】
本実施形態の採光フィルム１では、上述した２０°≦θＩＮ≦５０°となる範囲で、０°≦θＯＵＴ≦１５°、ΔθＩＮ＞ΔθＯＵＴとなる関係を満足するように、突起部３の第１の角部６ａの角度α１及び第２の角部６ｂの角度α２を設定している。
【００５１】
具体的に、本実施形態の採光フィルム１では、突起部３の第１の角部６ａの角度α１及び第２の角部６ｂの角度α２を下記の範囲で設定することが望ましい。
８５°≦α１≦１１０°、
（−α１／５＋７７°）≦α２≦（−３α１／１０＋９５°） 
【００５２】
ここで、参考例１として、図６Ａ，図６Ｂに示す採光フィルム１０１Ａと、参考例２として、図７Ａ，図７Ｂに示す採光フィルム１０１Ｂとを例示する。
【００５３】
図６Ａ，図６Ｂに示す採光フィルム１０１Ａは、基材１０２Ａの一面に形成された突起部１０３Ａの断面形状が長方形（α１，α２＝９０°）となる構成である。図７Ａ，図７Ｂに示す採光フィルム１０１Ｂは、基材１０２Ｂの一面に形成された突起部１０３Ｂの断面形状が台形（α１，α２＜９０°）となる構成である。また、それぞれの突起部１０３Ａ，１０３Ｂには、上記突起部３の各面部５ａ〜５ｄ及び各角部６ａ〜６ｄに対応する部位に同じ符号を付している。
【００５４】
参考例１の採光フィルム１０１Ａでは、図６Ａに示すように、２０°≦θＩＮ≦５０°となる範囲で、第２の面部５ｂから突起部１０３Ａに入射した入射光ＬＩＮが第３の面部５ｃを透過し、突起部１０３Ａの外に出た後、再び入射してグレア領域Ｇに向かう光として、基材１０２Ａの他面から出射される。このとき、基材１０２Ａの他面から出射される出射光ＬＯＵＴの出射角θＯＵＴは、負となる。このため、天井１００１に向かう光Ｌの成分は存在しなくなる。
【００５５】
また、参考例１の採光フィルム１０１Ａでは、図６Ｂに示すように、２０°≦θＩＮ≦５０°となる範囲で、第４の面部５ｄから突起部１０３Ａに入射した入射光ＬＩＮが第３の面部５ｃで全反射した後、天井１００１に向かう光として、基材１０２Ａの他面から出射される。このとき、基材１０２Ａの他面から出射される出射光ＬＯＵＴの出射角θＯＵＴは、１５°よりも大きい角度となる。このため、窓ガラス１００３に近い室内１００６の手前側の天井１００１に向かって光Ｌを照射することになる。
【００５６】
以上のような図６Ａ，図６Ｂに示す採光フィルム１０１Ａにおける入射光ＬＩＮの入射角θＩＮと出射光ＬＯＵＴの出射角θＯＵＴとの関係を表すグラフを図８に示す。
図８に示すように、採光フィルム１０１Ａを用いた場合は、２０°≦θＩＮ≦５０°となる範囲で、０°≦θＯＵＴ≦１５°となる出射光ＬＯＵＴの成分がなく、出射光ＬＯＵＴは、グレア領域Ｇに向かう光の成分と、窓ガラス１００３に近い室内１００６の手前側の天井１００１に向かう光の成分とを含んだものとなる。したがって、室内１００６に居る人Ｍａ，Ｍｂに眩しさを感じさせるだけでなく、天井１００１に向かう光Ｌを室内１００６の奥の方まで照射することができない。
【００５７】
一方、参考例２の採光フィルム１０１Ｂでは、図７Ａに示すように、２０°≦θＩＮ≦５０°となる範囲で、第２の面部５ｂから突起部１０３Ｂに入射した入射光ＬＩＮが第３の面部５ｃで全反射した後、天井１００１に向かう光として、基材１０２Ｂの他面から出射される。このとき、基材１０２Ｂの他面から出射される出射光ＬＯＵＴの出射角θＯＵＴは、１５°よりも大きい角度となる。このため、窓ガラス１００３に近い室内１００６の手前側の天井１００１に向かって光Ｌを照射することになる。
【００５８】
また、参考例２の採光フィルム１０１Ｂでは、図７Ｂに示すように、２０°≦θＩＮ≦５０°となる範囲で、第４の面部５ｄから突起部１０３Ｂに入射した入射光ＬＩＮの一部が第３の面部５ｃで全反射した後、天井１００１に向かう光として、基材１０２Ａの他面から出射される。このとき、基材１０２Ａの他面から出射される出射光ＬＯＵＴの出射角θＯＵＴは、０°≦θＯＵＴ≦１５°の範囲となる。
【００５９】
しかしながら、第４の面部５ｄから突起部１０３Ｂに入射した入射光ＬＩＮの一部は、第３の面部５ｃで全反射されずに、グレア領域Ｇに向かう光として、基材１０２Ａの他面から出射される。このとき、基材１０２Ａの他面から出射される出射光ＬＯＵＴの出射角θＯＵＴは、負となる。このため、天井１００１に向かう光Ｌの成分とはならない。
【００６０】
以上のような図７Ａ，図７Ｂに示す採光フィルム１０１Ｂにおける入射光ＬＩＮの入射角θＩＮと出射光ＬＯＵＴの出射角θＯＵＴとの関係を表すグラフを図９に示す。
図９に示すように、採光フィルム１０１Ｂを用いた場合は、２０°≦θＩＮ≦５０°となる範囲で、０°≦θＯＵＴ≦１５°となる出射光ＬＯＵＴの成分が含まれるが、グレア領域Ｇに向かう出射光ＬＯＵＴの成分が多い。また、天井１００１に向かう出射光ＬＯＵＴのうち、天井１００１の奥の方を照射する出射光ＬＯＵＴの成分が減少する。したがって、室内１００６に居る人Ｍａ，Ｍｂに眩しさを感じさせるだけでなく、室内１００６の奥の方では暗く感じさせてしまう。
【００６１】
これに対して、本実施形態の採光フィルム１では、上述した突起部３の第１の角部６ａの角度α１及び第２の角部６ｂの角度α２を、８５°≦α１≦１１０°、（−α１／５＋７７°）≦α２≦（−３α１／１０＋９５°）の範囲とすることで、図１０に示すように、２０°≦θＩＮ≦５０°となる範囲で、０°≦θＯＵＴ≦１５°となる出射光ＬＯＵＴの成分を増やすことが可能である。なお、図１０は、本実施形態の採光フィルム１における入射光ＬＩＮの入射角θＩＮと出射光ＬＯＵＴの出射角θＯＵＴとの関係を表すグラフである。
【００６２】
ここで、参考例３として、図１１Ａに示す採光フィルム１０１Ｃと、参考例４として、図１１Ｂに示す採光フィルム１０１Ｄと、参考例５として、図１１Ｃに示す採光フィルム１０１Ｅとを例示する。図１１Ａに示す採光フィルム１０１Ｃは、基材１０２Ｃの一面に形成された突起部１０３Ｃの断面形状が鋭角三角形（α１，α２＜９０°）となる構成である。図１１Ｂに示す採光フィルム１０１Ｄは、基材１０２Ｄの一面に形成された突起部１０３Ｄの断面形状が直角三角形（α１＝９０°，α２＜９０°）となる構成である。図１１Ｃに示す採光フィルム１０１Ｅは、基材１０２Ｅの一面に形成された突起部１０３Ｅの断面形状が鈍角三角形（α１＞９０°，α２＜９０°）となる構成である。また、それぞれの突起部１０３Ｃ，１０３Ｄ，１０３Ｅには、上記突起部３の各面部５ａ〜５ｃ及び各角部６ａ〜６ｃに対応する部位に同じ符号を付している。
【００６３】
各採光フィルム１０１Ｃ，１０１Ｄ，１０１Ｅでは、第２の面部５ｂから各突起部１０３Ｃ，１０３Ｄ，１０３Ｅに入射した入射光ＬＩＮが第３の面部５ｃで全反射した後、天井１００１に向かう光として、基材１０２Ｂの他面から出射される。
【００６４】
このとき、各突起部１０３Ｃ，１０３Ｄ，１０３Ｅの第１の角部６ａの角度α１と第２の角部６ｂの角度α２との組み合わせにおいて、２０°≦θＩＮ≦５０°、０°≦θＯＵＴ≦１５°となる範囲を破線の囲み部分Ｘで表したグラフを図１２に示す。なお、図１２に示すグラフでは、突起部の屈折率を１．５、溝部の屈折率を１．０として計算を行っている。
【００６５】
図１２中に示す囲み部分Ｘのうち、角度α２の下限を満たす直線Ｔ１は、（−α１／５＋７７°）により近似して表すことができ、角度α２の上限を満たす直線Ｔ２は、（−３α１／１０＋９５°）により近似して表すことができる。
【００６６】
したがって、第２の面部５ｂから入射した入射光ＬＩＮが第３の面部５ｃで全反射した後、天井１００１に向かう光として、基材１０２Ｂの他面から出射されるためには、第２の角部６ｂの角度α２を（−α１／５＋７７°）≦α２≦（−３α１／１０＋９５°）の範囲とすることが好ましい。
【００６７】
また、図１２中に示す囲み部分Ｘにおいて、出射角θＯＵＴの変動幅ΔθＯＵＴの分布を表したグラフを図１３に示す。その中でも特に、ΔθＯＵＴ＜３０°となる範囲を図１３中の破線の囲み部分Ｙで表すものとする。
【００６８】
図１３中に示す囲み部分Ｙのうち、角度α２の下限と上限とを満たすためには、第１の角部６ａの角度α１を８５°≦α１≦１１０°の範囲とすることが好ましく、より好ましくは９０°≦α１≦１１０°の範囲である。
【００６９】
ところで、図１４に示すように、第２の面部５ｂから突起部３に入射した入射光ＬＩＮが第３の面部５ｃで全反射した後、第２の面部５ｂで全反射された場合、グレア領域Ｇに向かう光として、基材１０２Ａの他面から出射されることになる。
【００７０】
本実施形態の採光フィルム１では、このような２回の全反射を発生させないための条件を設定することが好ましい。
具体的には、第１の面部５ａの突起部３の並び方向に沿った長さをＬ［μｍ］とし、第１の面部５ａから第４の角部６ｄまでの高さＨ［μｍ］とし、第２の面部５ｂから突起部３に入射した入射光ＬＩＮが第３の面部５ｃで全反射される全反射角をθＺ３［°］としたときに、下記式（１），（２）の関係を満足することが望ましい。
Ｈ／Ｌ≦（ｔａｎＡ０×ｔａｎα２）／（ｔａｎＡ０＋ｔａｎα２）  …（１）
Ａ０＝２７０°−α１−２・α２＋θＺ３  …（２）
【００７１】
ここで、Ｈ／Ｌ及びＡ０について、図１５Ａ及び図１５Ｂを参照して説明する。
図１５Ａ及び図１５Ｂは、第２の面部５ｂから突起部３に入射した入射光ＬＩＮが第３の面部５ｃで全反射した後、第３の面部５ｃで全反射された光の第１の面部５ａに入射する場合の境界条件を示す模式図である。なお、本例では、第１の角部６ａの角度α１が９０°となる場合を例示し、図１５Ａ及び図１５Ｂに示す突起部３については、第４の角部６ｄが１８０°となる場合を示す。
【００７２】
先ず、図１５Ａに示すように、入射光ＬＩＮの第２の面部５ｂに対する入射角を第２の面部５ｂの法線に対してθとし、第２の面部５ｂに入射した入射光ＬＩＮの屈折角を第２の面部５ｂの法線に対してθ’とし、基材２及び突起部３の屈折率をｎとし、溝部４の材料の屈折率をｎ０としたときに、下記３つの式が求められる。
θ＝１８０°−θＩＮ−α１ 
ｎ０ｓｉｎθ＝ｎｓｉｎθ’
θＺ３＝ｎ／ｎ０ｓｉｎθ’
これら３つの式から、全反射角θＺ３を表す下記式（３）を求めることができる。
ｓｉｎθ’＝ｎ０／ｎｓｉｎ（９０°−θＩＮ）
θ’＝ａｓｉｎ（ｎ０／ｎｓｉｎ（９０°−θＩＮ））
∴θＺ３＝ａｓｉｎ（ｎ０／ｎ）  …（３）
【００７３】
次に、図１５Ａに示すように、第３の面部５ｃで全反射された光の第１の面部５ａに入射する入射角を基材２の一面と平行な基準面に対してＡとしたときに、この入射角Ａは下記のとおり表される。
Ａ＝１８０°−（α１＋α２−θ’−９０°）−α２
∴Ａ＝２７０°−α１−２・α２＋θ’
ここで、θ’＝θＺ３となるとき、Ａ＝Ａ０とすると、Ａ０は、上記式（２）として求めることができる。
【００７４】
次に、図１５Ｂに示すように、第２の面部５ｂから入射した入射光ＬＩＮが第３の面部５ｃで全反射される位置（第４の角部６ｄとする。）を通る第１の面部５ａの垂線Ｔを挟んだ第１の面部５ａの長さＬの比率をｐ：１−ｐとする。
このとき、下記の式が成り立つことから、ｐの関係式が求まる。
ｐ×ｔａｎＡ＝（１−ｐ）×ｔａｎα２
∴ｐ＝ｔａｎα２／（ｔａｎＡ＋ｔａｎα２）
【００７５】
また、第２の面部５ｂから突起部３に入射した入射光ＬＩＮが第３の面部５ｃで全反射した後、第３の面部５ｃで全反射された光の第１の面部５ａに入射する場合の第１の面部５ａから第４の角部６ｄまでの最大の高さＨＭＡＸは、下記のとおり表される。
ＨＭＡＸ＝ｐ×Ｌ×ｔａｎＡ０＝（Ｌ×ｔａｎα２×ｔａｎＡ０）／（ｔａｎＡ＋ｔａｎα２）
したがって、Ｈ≦ＨＭＡＸとなる条件から、上記式（１）を求めることができる。
【００７６】
図１６に示すように、突起部３の先端（第３の角部６ｃ）付近から第２の面部５ｂに入射した入射光ＬＩＮは、第４の面部５ｄで全反射した後、第３の面部５ｃで全反射された場合、グレア領域Ｇに向かう光として、基材１０２Ａの他面から出射されることになる。
【００７７】
このとき、基材２の他面から出射される出射光ＬＯＵＴの出射角θＯＵＴは、基材２の法線に対して負となるものの、比較的小さい角度である。したがって、室内１００６に居る人Ｍａ，Ｍｂに眩しさを感じさせる光としては弱く、基材２の他面に光拡散フィルムなどを設けることによって、眩しさを更に抑制することが可能である。
【００７８】
本実施形態の採光フィルム１では、このような２回の全反射を許容するための条件を設定することができる。
具体的には、第２の角部６ｂの角度をα２［°］とし、基材２の一面と平行な基準面に対して第４の面部５ｄが為す角度をα３［°］とし、第２の面部５ｂから突起部３に入射した入射光ＬＩＮが第４の面部５ｄで全反射される全反射角をθＺ４［°］としたときに、２０°≦θＩＮ≦５０°となる範囲で、θＺ４≦α３≦α２の関係を満足することが好ましい。
【００７９】
この場合、基材２の一面と平行な基準面に対して第４の面部５ｄが為す角度α３が、全反射角θＺ４よりも大きければ、突起部３の先端（第３の角部６ｃ）付近から第２の面部５ｂに入射した入射光ＬＩＮが第４の面部５ｄで全反射することになる。したがって、このような全反射条件を満たす最小の角度α３ＭＩＭは、全反射角θＺ４である。また、この全反射角θＺ４は、上記式（３）で表される全反射角θＺ３と同じであることから、下記のように表すことができる。
ａｓｉｎ（ｎ０／ｎ）≦α３≦α２
【００８０】
また、本実施形態の採光フィルム１では、図１７に示すように、入射光ＬＩＮの入射角θＩＮが小さいとき、第４の面部５ｂから突起部３に入射した入射光ＬＩＮが屈折しながら、天井１００１に向かう光として、基材１０２Ａの他面から出射されることになる。このとき、基材１０２Ａの他面から出射される出射光ＬＯＵＴの出射角θＯＵＴは、０°≦θＯＵＴ≦１５°の範囲となる。
【００８１】
以上のように、本実施形態の採光フィルム１を用いた場合には、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制することが可能である。
【００８２】
なお、本実施形態の採光フィルム１については、上述した窓ガラスの内面に複数の突起部３が形成された面側（基材２の一面側）を対向させた状態で使用する場合に必ずしも限定されるものではない。例えば、図１８に示すように、窓ガラスの内面に複数の突起部３が形成された面とは反対側（基材２の他面側）を対向させた状態で使用することも可能である。この場合、採光フィルム１は、突起部３の第２の面部５ｂが下面となる向きで貼り付けられる。
【００８３】
すなわち、採光フィルム１は、図１９に示すように、突起部３を１８０°反転させた状態で使用することも可能である。この場合、基材２の他面から入射した入射光ＬＩＮは、第１の面部５ａから突起部３に入射して第２の面部５ｂで全反射した後、天井１００１に向かう出射光ＬＯＵＴとして、第４の面部５ｄから出射される。
【００８４】
また、この場合も、図２０に示すように、入射光ＬＩＮの入射角θＩＮが基材２の法線に対して２０°≦θＩＮ≦５０°の範囲にあるとき、出射光ＬＯＵＴの出射角θＯＵＴが基材２の法線に対して入射光ＬＩＮと同じ側（＋側）に０°≦θＯＵＴ≦１５°となる範囲で、出射光ＬＯＵＴの輝度が相対的に高くなるように設定されている。なお、図２０に示すグラフでは、突起部の屈折率を１．５、溝部の屈折率を１．０として計算を行っている。
【００８５】
さらに、入射光ＬＩＮの入射角θＩＮの変動幅をΔθＩＮとし、出射光ＬＯＵＴの出射角θＯＵＴの変動幅をΔθＯＵＴとしたときに、２０°≦θＩＮ≦５０°となる範囲で、ΔθＩＮ＞ΔθＯＵＴ の関係を満足している。
【００８６】
したがって、この場合も、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制することが可能である。
【００８７】
なお、本発明は、上記第１の実施形態の採光フィルム１の構成に必ずしも限定されるものではなく、本発明の趣旨を逸脱しない範囲において種々の変更を加えることが可能である。
例えば、上記採光フィルム１を実際に作製した顕微鏡写真を図２１に示す。また、図２１に示す採光フィルム１の要部を拡大した顕微鏡写真を図２２に示す。
【００８８】
図２１及び図２２に示すように、突起部３の形状は、実際は上記突起部３の各面部５ａ〜５ｄや各角部６ａ〜６ｄの輪郭が明確に形成されているとは限らない。すなわち、突起部３の実際の形状は、第２の面部５ｂの少なくとも一部が内側に湾曲した凹面形状と、第３の面部５ｃと第４の面部５ｄとの少なくとも一部が外側に湾曲した凸面形状とを有する形状であってもよい。
【００８９】
なお、図２２には、顕微鏡写真上に、突起部３の輪郭を平均化することで得られる直線によって上記突起部３の輪郭線を描いたものを併せて図示している。突起部３の形状は、このような輪郭線を描くことよって特定することが可能である。
【００９０】
また、突起部３の形状については、例えば図２３Ａ〜図２３Ｅに示す突起部３Ａ〜３Ｅのように、角部や面部の少なくとも一部（図中の囲み部分で示す。）を湾曲した形状としたり、丸みを帯びた形状としたりすることも可能である。
【００９１】
本発明の実施形態に係る採光部材としては、上述したフィルム状の基材２を用いた採光フィルム１に限らず、光透過性を有するパネル状の基材を用いた採光パネルであってもよい。すなわち、基材は、突起部を形成する際の下地となるものであり、製造プロセス中の熱処理工程における耐熱性と機械的強度とを備える必要がある。したがって、基材には、樹脂フィルムなどの可撓性を有するフィルム状（厚みがあるものはシート状とも言う。）の基材を用いる他にも、ガラスや樹脂パネルなどの剛性を有するパネル状の基材を用いてもよい。
【００９２】
また、本発明の実施形態に係る採光部材としては、図示を省略するものの、上記採光フィルム１の構成に加えて、基材２の他面側に、例えば、グレア領域Ｇに向かう方向の光を拡散させるための光拡散フィルム（光拡散部材）や、自然光（太陽光）の輻射熱を遮断するための光透過性を有する断熱フィルム（断熱部材）などの機能性フィルム（機能部材）を配置した構成とすることも可能である。
【００９３】
［第２の実施形態］
（窓ガラス）
次に、本発明の第２の実施形態として、例えば図２４及び図２５に示す窓ガラス２０１について説明する。
なお、図２４は、窓ガラス２０１の概略構成を示す斜視図である。図２５は、図２４中に示す窓ガラス２０１のＤ−Ｄ’線に沿った断面図である。また、以下の説明では、上記採光フィルム１と同等の部位については、説明を省略すると共に、図面において同じ符号を付すものとする。
【００９４】
窓ガラス２０１は、図２４に示すように、オフィスなどで一般に使用される人Ｍの身長よりも高い固定式の窓枠２０２に設置されている。窓ガラス２０１は、下部エリアＣ１と上部エリアＣ２とに分割さており、その境界は人Ｍの身長よりも高い位置にある。このうち、下部エリアＣ１は、人Ｍが屋外を見るときに利用される領域である。一方、上方エリアＣ２は、屋外の自然光（太陽光）を屋内の天井に向けて採り入れるための領域である。
【００９５】
窓ガラス２０１は、図２５に示すように、ガラス基板２０３と、このガラス基板２０３の外面に貼り付けられた採光フィルム２０４とを備えている。ガラス基板２０３には、既存の窓ガラスで使用されているガラス基板と同じものを使用することができる。
【００９６】
採光フィルム２０４は、光透過性を有するフィルム状の基材２と、基材２の一面に並んで形成された複数の突起部３と、複数の突起部３の各間に形成された複数の溝部４とを備えた採光部材である。この採光フィルム２０４は、上記採光フィルム１と基本的に同じ構造を有している。但し、複数の突起部３及び溝部４は、上部エリアＣ２に対応する領域にのみ配置されており、下部エリアＣ１に対応する領域は、基材２のみの構成となっている。
【００９７】
そして、この採光フィルム２０４は、ガラス基板２０３の一面（内面）に複数の突起部３が形成された面側（基材２の一面側）を対向させた状態で、ガラス基板２０３に接着層２０５を介して貼り合わされている。このとき、採光フィルム２０４は、ガラス基板２０３に対して複数の突起部３の並び方向が当該窓ガラス２０１の縦方向（鉛直方向）と一致するように貼り付けられる。換言すると、採光フィルム２０４は、ガラス基板２０３に対して複数の突起部３の延長方向が当該窓ガラスの横方向（水平方向）と一致するように貼り付けられる。また、採光フィルム２０４は、突起部３の第２の面部５ｂが上面となる向きで貼り付けられる。
【００９８】
接着層２０５については、従来より公知の接着剤を用いることができる。また、接着層２０５の屈折率については、基材２や突起部３と同程度の屈折率（溝部４とは異なるの屈折率）であればよい。また、接触層２０５には、透過性を有しないものを用いてもよい。
なお、接着層２０５は、貼合後に剥離しても再度接着が可能なものであってもよい。
【００９９】
以上のような構成を有する窓ガラス２０１では、上部エリアＣ２に入射した光を複数の突起部３で光の進行方向を変えながら、屋内の天井に向けて照射することができる。また、天井に向かう光は、天井で反射して室内を照らすため、照明光の代わりとなる。したがって、このような窓ガラス２０１を用いた場合、日中に建物内の照明設備が消費するエネルギーを節約する省エネルギー効果が期待できる。また、下部エリアＣ１は、複数の突起部３及び溝部４が配置されていない構成のため、通常の窓ガラスとしての機能を有している。
【０１００】
以上のように、本実施形態の窓ガラス２０１を用いた場合には、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制することが可能である。
【０１０１】
なお、本発明は、上記第２の実施形態の窓ガラス２０１の構成に必ずしも限定されるものではなく、本発明の趣旨を逸脱しない範囲において種々の変更を加えることが可能である。また、以下の説明では、上記窓ガラス２０１と同等の部位については、説明を省略すると共に、図面において同じ符号を付すものとする。
【０１０２】
具体的に、上記窓ガラス２０１の変形例としては、例えば図２６に示す窓ガラス２０１Ａを挙げることができる。なお、図２６は、図２４中に示す窓ガラス２０１のＤ−Ｄ’線と同じ切断線に沿った断面図である。
【０１０３】
この窓ガラス２０１Ａは、図２６に示すように、ガラス基板２０３の下部エリアＣ１にのみ採光フィルム２０４Ａが配置された構成である。したがって、この窓ガラス２０１Ａでは、上部エリアＣ２に対応する領域にのみ複数の突起部３及び溝部４が配置され、下部エリアＣ１に対応する領域は、ガラス基板２０３のみの構成となっている。
【０１０４】
以上のような構成を有する窓ガラス２０１Ａでは、上部エリアＣ２に入射した光を複数の突起部３で光の進行方向を変えながら、屋内の天井に向けて照射することができる。また、天井に向かう光は、天井で反射して室内を照らすため、照明光の代わりとなる。したがって、このような窓ガラス２０１を用いた場合、日中に建物内の照明設備が消費するエネルギーを節約する省エネルギー効果が期待できる。また、下部エリアＣ１は、複数の突起部３及び溝部４が配置されていないため、通常の窓ガラスとしての機能を有している。
【０１０５】
以上のように、本実施形態の窓ガラス２０１Ａを用いた場合にも、上記窓ガラス２０１を用いた場合と同様に、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制することが可能である。
【０１０６】
また、本発明の実施形態に係る窓ガラスとしては、図示を省略するものの、上記窓ガラス２０１，２０１Ａの構成に加えて、基材２とガラス基板２０３との間や、ガラス基板２０３の他面（内面）側に、例えば、グレア領域Ｇに向かう方向の光を拡散させるための光拡散フィルム（光拡散部材）や、自然光（太陽光）の輻射熱を遮断するための光透過性を有する断熱フィルム（断熱部材）などの機能性フィルム（機能部材）を配置した構成とすることも可能である。
【０１０７】
本発明の実施形態に係る窓ガラスは、上述した固定式の窓枠２０２に設置される場合に限らず、例えば図２７に示すような開閉式の窓枠２０２Ａに設置された構成であってもよい。また、図２７に示す窓枠２０２Ａは、上下方向に回動される回動方式となっているが、左右方向に回動される回動方式や、上下方向又は左右方向にスライドされるスライド方式であってもよい。
【０１０８】
なお、本発明の実施形態に係る窓ガラスとしては、図２８Ａに示す採光フィルム２０４Ａを備えたガラス２０１Ｂや、図２８Ｂに示す採光フィルム２０４Ｂを備えたガラス２０１Ｃといった構成とすることも可能である。
【０１０９】
具体的に、図２８Ａに示す窓ガラス２０１Ｂは、採光フィルム２０４Ａの複数の突起部３が複数列置き（本図では５列置き）に間隔を空けて配置された構成である。採光フィルム２０４Ａは、各列の間に配置された接着層２０５によってガラス基板２０３と貼り合わされている。
【０１１０】
一方、図２８Ｂに示す窓ガラス２０１Ｃは、採光フィルム２０４Ｂの複数の突起部３が１列置きに間隔を空けて配置された構成である。採光フィルム２０４Ｂは、複数の突起部３の並び方向に間隔を空けて配置された接着層２０５によってガラス基板２０３と貼り合わされている。
【０１１１】
［第３の実施形態］
（ロールスクリーン）
次に、本発明の第３の実施形態として、例えば図２９及び図３０に示すロールスクリーン３０１について説明する。
なお、図２９は、ロールスクリーン３０１の概略構成を示す斜視図である。図３０は、図２９中に示すロールスクリーン３０１のＥ−Ｅ’線に沿った断面図である。また、以下の説明では、上記採光フィルム１と同等の部位については、説明を省略すると共に、図面において同じ符号を付すものとする。
【０１１２】
ロールスクリーン３０１は、図２９及び図３０に示すように、採光スクリーン３０２と、採光スクリーン３０２を巻き取り自在に支持する巻取機構３０３とを備えている。
【０１１３】
採光スクリーン３０２は、光透過性を有するフィルム状（シート状）の基材２と、基材２の一面に並んで形成された複数の突起部３と、複数の突起部３の各間に形成された複数の溝部４とを備えた採光部材である。この採光スクリーン３０２は、上記採光フィルム１と基本的に同じ構造を有している。但し、基材２の厚みについては、ロールスクリーン３０１に適した厚みとなっている。
【０１１４】
巻取機構３０３は、採光スクリーン３０２の上端部に沿って取り付けられた巻芯３０４と、採光スクリーン３０２の下端部に沿って取り付けられた下パイプ３０５と、採光スクリーン３０２の下端部中央に取り付けられた引張りコード３０６と、巻芯３０４に巻き取られた採光スクリーン３０２を収納する収納ケース３０７とを備えている。
【０１１５】
巻取機構３０３は、プルコード式として、採光スクリーン３０２を引っ張り出した位置で固定させたり、引っ張り出した位置から更に引張りコード３０６を引っ張ることで、固定を解除して採光スクリーン３０２を巻芯３０４に自動的に巻き取らせたりすることが可能である。なお、巻取機構３０３については、このようなプルコード式に限らず、巻芯３０４をチェーンで回転させるチェーン式の巻取機構や、巻芯３０４をモータにより回転させる自動式の巻取機構などであってもよい。
【０１１６】
以上のような構成を有するロールスクリーン３０１は、窓ガラス３０８の上部に収納ケース３０７を固定した状態で、この収納ケース３０７に収納された採光スクリーン３０２を引張りコード３０６で引っ張り出しながら、窓ガラス３０８の内面に対向させた状態で使用される。このとき、採光スクリーン３０２は、窓ガラス３０８に対して複数の突起部３の並び方向が窓ガラス３０８の縦方向（鉛直方向）と一致する向きで配置される。換言すると、採光スクリーン３０２は、窓ガラス３０８に対して複数の突起部３の延長方向が窓ガラス３０８の横方向（水平方向）と一致するように配置される。
【０１１７】
窓ガラス３０８の内面に対向させた採光スクリーン３０２は、この窓ガラス３０８を通して室内に入射した光を複数の突起部３で光の進行方向を変えながら、屋内の天井に向けて照射する。また、天井に向かう光は、天井で反射して室内を照らすため、照明光の代わりとなる。したがって、このようなロールスクリーン３０１を用いた場合、日中に建物内の照明設備が消費するエネルギーを節約する省エネルギー効果が期待できる。
【０１１８】
以上のように、本実施形態のロールスクリーン３０１を用いた場合には、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制することが可能である。
【０１１９】
なお、本発明は、上記第３の実施形態のロールスクリーン３０１の構成に必ずしも限定されるものではなく、本発明の趣旨を逸脱しない範囲において種々の変更を加えることが可能である。
【０１２０】
例えば、本発明の実施形態に係るロールスクリーンとしては、上記採光スクリーン３０２の代わりに、図３１Ａに示す採光スクリーン３０２Ａや、図３１Ｂに示す採光スクリーン３０２Ｂを備えた構成とすることも可能である。具体的に、図３１Ａに示す採光スクリーン３０２Ａは、複数の突起部３が複数列置き（本図では５列置き）に間隔を空けて配置された構成である。一方、図３１Ｂに示す採光スクリーン３０２Ｂは、複数の突起部３が１列置きに間隔を空けて配置された構成である。
【０１２１】
本発明の実施形態に係るロールスクリーンでは、図３１Ａ，図３１Ｂに示す採光スクリーン３０２Ａ，３０２Ｂのように、複数の突起部３を１列又は複数列置きに間隔を空けて配置することで、間隔を空けた部分での屈曲性を高めることができる。これにより、採光スクリーン３０２Ａ，３０２Ｂが巻芯３０４に巻き取り易くなると共に、巻芯３０４に巻き取られた状態における採光スクリーン３０２Ａ，３０２Ｂの径を小さくすることができる。
【０１２２】
また、本発明の実施形態に係るロールスクリーンとしては、図示を省略するものの、上記ロールスクリーン３０１の構成に加えて、基材２の他面側に、例えば、グレア領域Ｇに向かう方向の光を拡散させるための光拡散フィルム（光拡散部材）や、自然光（太陽光）の輻射熱を遮断するための光透過性を有する断熱フィルム（断熱部材）などの機能性フィルム（機能部材）を配置した構成とすることも可能である。
【０１２３】
［第４の実施形態］
（採光ルーバー）
次に、本発明の第４の実施形態として、例えば図３２Ａ，図３２Ｂに示す採光ルーバー４０１について説明する。
なお、図３２Ａ，図３２Ｂは、採光ルーバー４０１の概略構成を示す斜視図であり、図３２Ａは、採光ルーバー４０１の開状態を示し、図３２Ｂは、採光ルーバー４０１の閉状態を示す。また、以下の説明では、上記採光フィルム１と同等の部位については、説明を省略すると共に、図面において同じ符号を付すものとする。
【０１２４】
採光ルーバー４０１は、図３２Ａ，図３２Ｂに示すように、所定の間隔を空けて並んで配置された複数の採光スラット４０２と、複数の採光スラット４０２を互いに傾動自在に支持する傾動機構４０３とを備えている。
【０１２５】
複数の採光スラット４０２は、図３３に示すように、光透過性を有する長尺板状の基材２と、基材２の一面に並んで形成された複数の突起部３と、複数の突起部３の各間に形成された複数の溝部４とを備えた採光部材である。各採光スラット４０２は、上記採光フィルム１と基本的に同じ構造を有している。但し、基材２の形状については、上述した採光フィルム１，２０４，２０４Ａや採光スクリーン３０２とは異なっている。
【０１２６】
傾動機構４０３は、複数のラダーコード４０４を備えている。複数のラダーコード４０４は、図示を省略するものの、採光スラット４０２の長手方向に並ぶことによって、複数の採光スラット４０２を支持している。具体的に、ラダーコード４０４は、互いに平行に並ぶ一対の縦コード４０５ａ，４０５ｂと、縦コード４０５ａ，４０５ｂの間に掛け渡されると共に、縦コード４０５ａ，４０５ｂの長手方向に等間隔に並ぶ複数の横コード４０６とを有している。また、ラダーコード４０４は、横コード４０６を構成する一対の保持コード４０７ａ，４０７ｂにより採光スラット４０２を挟み込みながら、採光スラット４０２を縦コード４０５ａ，４０５ｂの間で保持している。
【０１２７】
傾動機構４０３は、図示を省略するものの、一対の縦コード４０５ａ，４０５ｂを互いに逆向きに上下方向に移動操作する操作機構を備えている。そして、傾動機構４０３では、この操作機構による一対の縦コード４０５ａ，４０５ｂの移動操作によって、複数の採光スラット４０２を互いに同期させながら傾動させることが可能となっている。
【０１２８】
以上のような構成を有する採光ルーバー４０１は、窓ガラス（図示せず。）の上部から吊り下げられた状態で、この窓ガラスの内面に対向させた状態で使用される。このとき、各採光スラット４０２は、窓ガラスに対して複数の突起部３の並び方向が窓ガラスの縦方向（鉛直方向）と一致する向きで配置される。換言すると、採光スラット４０２は、窓ガラスに対して複数の突起部３の延長方向が窓ガラスの横方向（水平方向）と一致するように配置される。
【０１２９】
窓ガラスの内面に対向させた採光ルーバー４０１は、この窓ガラスを通して室内に入射した光Ｌを複数の突起部３で光の進行方向を変えながら、屋内の天井に向けて照射する。
また、天井に向かう光Ｌは、天井で反射して室内を照らすため、照明光の代わりとなる。
したがって、このようなロールスクリーン３０１を用いた場合、日中に建物内の照明設備が消費するエネルギーを節約する省エネルギー効果が期待できる。
【０１３０】
また、採光ルーバー４０１では、複数の採光スラット４０２を傾動させることによって、天井に向かう光Ｌの角度を調整することができる。さらに、複数の採光スラット４０２の間から入射する光を調整することができる。
【０１３１】
また、採光ルーバー４０１では、図３４に示すように、採光スラット４０２の向きを１８０°反転させた場合でも、採光スラット４０２の向きを反転させる前と同様に、窓ガラスを通して室内に入射した光Ｌを複数の突起部３で光の進行方向を変えながら、屋内の天井に向けて照射することができる。
【０１３２】
以上のように、本実施形態の採光ルーバー４０１を用いた場合には、屋外の自然光（太陽光）を屋内に効率良く採り入れると共に、屋内に居る人に眩しさを感じさせずに、屋内の奥の方まで明るく感じさせることができ、なお且つ、太陽の高度変化に伴う照射位置の変動を抑制することが可能である。
【０１３３】
なお、本発明は、上記第４の実施形態の採光ルーバー４０１の構成に必ずしも限定されるものではなく、本発明の趣旨を逸脱しない範囲において種々の変更を加えることが可能である。
【０１３４】
例えば、本発明の実施形態に係る採光ルーバーとしては、図示を省略するものの、上記採光ルーバー４０１の構成に加えて、基材２の他面側に、例えば、グレア領域Ｇに向かう方向の光を拡散させるための光拡散フィルム（光拡散部材）や、自然光（太陽光）の輻射熱を遮断するための光透過性を有する断熱フィルム（断熱部材）などの機能性フィルム（機能部材）を配置した構成とすることも可能である。
【０１３５】
また、本発明の実施形態に係る採光ルーバーとしては、上記採光スラット４０２と共に、遮光性を有する遮光スラットを組み合わせて使用することも可能である。この場合、複数の採光スラット４０２により構成される採光部と、この採光部の下方に位置して、複数の遮光スラットにより構成される遮光部とを備えた構成とする。この構成により、窓ガラスを通して室内に入射した光を採光部を構成する複数の採光スラット４０２によって屋内の天井に向けて照射すると共に、遮光部を構成する複数の遮光スラットによってグレア領域に向かう光を遮光することができる。
【０１３６】
［照明調光システム］
図３５は、採光装置及び照明調光システムを備えた部屋モデル２０００を示す図である。
図３６は、部屋モデル２０００の天井を示す平面図である。
【０１３７】
本発明において、外光が導入される部屋２００３の天井２００３ａを構成する天井材は、高い光反射性を有していてもよい。図３５及び図３６に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１３８】
この光反射性天井材２００３Ａは、先に述べたように、本発明の採光装置２０１０（上述したいずれかの実施形態の採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１３９】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光を抑える効果を両立するために、両者の特性が適度にミックスされたものが好ましい。
【０１４０】
本発明の採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１４１】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作成することができる。あるいは、エンボス加工によって形成される凹凸がもっと大きな周期の曲面で形成されていてもよい。
【０１４２】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１４３】
本発明の採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系２００９と、天井２００３ａに設置された光反射性天井材２００３Ａと、を含む部屋全体の構成部材から構成される。
【０１４４】
部屋２００３の窓２００２には、上部側に採光装置２０１０が設置され、下部側に日射調整装置２００８が設置されている。ここでは、日射調整装置２００８として、ブラインドが設置されているが、これに限らない。
【０１４５】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１４６】
図３５及び図３６に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）及び奥行方向（Ｘ方向）に、それぞれ１．８ｍの間隔Ｐをおいて格子状に配置されている。より具体的には、５０個の室内照明装置２００７が１０行（Ｙ方向）×５列（Ｘ方向）に配列されている。
【０１４７】
室内照明装置２００７は、室内照明器具２００７ａと、明るさ検出部２００７ｂと、制御部２００７ｃと、を備え、室内照明器具２００７ａに明るさ検出部２００７ｂ及び制御部２００７ｃが一体化されて構成されたものである。
【０１４８】
室内照明装置２００７は、室内照明器具２００７ａ及び明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂによって、室内に置かれた机上２００５の机上面２００５ａの照度を検出する。
【０１４９】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１５０】
図３７は、採光装置によって室内に採光された光（自然光）の照度と、室内照明装置による照度（照明調光システム）との関係を示すグラフである。
図３７に示すように、採光装置２０１０（自然光の採光）による机上面の照度は、窓から遠くなる程、低下している。一方で、採光装置２０１０を窓に設置することなく室内の天井に室内照明装置２００７（照明調光システム）を設置した場合には、窓から遠くなる程、机上面の照度が上昇する。これら採光装置２０１０と室内照明装置２００７（照明調光システム）とを併用した場合、採光装置２０１０及び室内照明装置２００７（照明調光システム）のいずれか一方を用いた場合よりも、室内における机上面の照度が全体的に上昇していることが分かる。採光装置２０１０の効果により窓際が最も明るく、窓から離れるに従って明るさの低下が若干みられるが、略一定の照度（平均照度：７５０ｌｘ）が得られている。
【０１５１】
以上述べたように、採光装置２０１０と照明調光システム（室内照明装置２００７）とを併用することにより、室内の奥の方まで光を届けることが可能となり、室内の明るさをさらに向上させることができる。したがって、太陽高度による影響を受けずにより一層安定した明るい光環境が得られる。
【産業上の利用可能性】
【０１５２】
本発明の一態様は、屋内に居る人に眩しさを感じさせずに、屋内の奥の方まで明るく感じさせることができ、なお且つ、太陽の高度変化に伴う照射位置の変動を抑制することが必要な採光部材などに適用することができる。
【符号の説明】
【０１５３】
１…採光フィルム（採光部材）  ２…基材  ３，３Ａ〜３Ｅ…突起部  ４…溝部  ５ａ…第１の面部  ５ｂ…第２の面部  ５ｃ…第３の面部  ５ｄ…第４の面部  ６ａ…第１の角部  ６ｂ…第２の角部  ６ｃ…第３の角部  ６ｄ…第４の角部  ２０１，２０１Ａ，２０１Ｂ，２０１Ｃ…窓ガラス  ２０２…窓枠  ２０３…ガラス基板  ２０４，２０４Ａ，２０４Ｂ…採光フィルム（採光部材）  ２０５…接着層  Ｃ１…下部エリア  Ｃ２…上部エリア  ３０１…ロールスクリーン  ３０２，３０２Ａ，３０２Ｂ…採光スクリーン（採光部材）  ３０３…巻取機構  ４０１…採光ルーバー  ４０２…採光スラット（採光部材）  ４０３…傾動機構  ４０４…ラダーコード  １０００…部屋モデル  １００１…天井  １００２…床  １００３…窓ガラス  １００４…手前の側壁  １００５…奥の側壁  １００６…室内  Ｍ，Ｍａ，Ｍｂ…人  Ｇ…グレア領域
【図１】
0006461820.tif 000002
【図２】
0006461820.tif 000003
【図３】
0006461820.tif 000004
【図４】
0006461820.tif 000005
【図５】
0006461820.tif 000006
【図６Ａ】
0006461820.tif 000007
【図６Ｂ】
0006461820.tif 000008
【図７Ａ】
0006461820.tif 000009
【図７Ｂ】
0006461820.tif 000010
【図８】
0006461820.tif 000011
【図９】
0006461820.tif 000012
【図１０】
0006461820.tif 000013
【図１１Ａ】
0006461820.tif 000014
【図１１Ｂ】
0006461820.tif 000015
【図１１Ｃ】
0006461820.tif 000016
【図１２】
0006461820.tif 000017
【図１３】
0006461820.tif 000018
【図１４】
0006461820.tif 000019
【図１５Ａ】
0006461820.tif 000020
【図１５Ｂ】
0006461820.tif 000021
【図１６】
0006461820.tif 000022
【図１７】
0006461820.tif 000023
【図１８】
0006461820.tif 000024
【図１９】
0006461820.tif 000025
【図２０】
0006461820.tif 000026
【図２１】
0006461820.tif 000027
【図２２】
0006461820.tif 000028
【図２３Ａ】
0006461820.tif 000029
【図２３Ｂ】
0006461820.tif 000030
【図２３Ｃ】
0006461820.tif 000031
【図２３Ｄ】
0006461820.tif 000032
【図２３Ｅ】
0006461820.tif 000033
【図２４】
0006461820.tif 000034
【図２５】
0006461820.tif 000035
【図２６】
0006461820.tif 000036
【図２７】
0006461820.tif 000037
【図２８Ａ】
0006461820.tif 000038
【図２８Ｂ】
0006461820.tif 000039
【図２９】
0006461820.tif 000040
【図３０】
0006461820.tif 000041
【図３１Ａ】
0006461820.tif 000042
【図３１Ｂ】
0006461820.tif 000043
【図３２Ａ】
0006461820.tif 000044
【図３２Ｂ】
0006461820.tif 000045
【図３３】
0006461820.tif 000046
【図３４】
0006461820.tif 000047
【図３５】
0006461820.tif 000048
【図３６】
0006461820.tif 000049
【図３７】
0006461820.tif 000050